(57)【要約】【課題】携帯電話機を忘れた場合に、携帯電話会社の留守録音サービスの機能では、迅速に情報の交換ができないため、ビジネスチャンスを逃がしてしまうことが多々あった。【解決手段】通信情報網上に、携帯電話の転送、蓄積を行なうサービス・サイトを設けて、電話機を忘れた場合には指定の電話機に転送する機能を備える。サービス・サイトは、携帯無線電話会社の基地局と交信して利用者の指示に応じて他の電話機への転送をおこなうサービスと、メッセージ、データの蓄積記憶のサービスをおこなう。本人を証明する身分証明証の類のカードにサービス・サイトとの通信機能を搭載して、電話機を忘れたときにはサイトからの着信の案内と、このカードから転送先、蓄積の相手のアドレスを発信できる。決済と重要情報の受信を目的として、カードに本人認証機能を備える。【選択図】　　　　　図１
2004120718.tif 000002
【特許請求の範囲】
【請求項１】
携帯電話機、携帯情報端末機器に関するアプリケーションサービス機能であって、通信情報網上に電話の転送と蓄積を行なうサービス・サイトを設けて、携帯電話機、端末機器を忘れたときの着信の転送と蓄積を行なう手段、他の電話機、公衆電話機から所定の場所に転送を促す手段と、前記転送手段を所持するカードから指示する手段を備えたことを特徴とする携帯電話機の音声とデータの転送と蓄積方法。
【請求項２】
前記記載のカードは、転送蓄積サービス・サイトと交信する手段と、かつ、身分証明と本人認証機能を備えたことを特徴とする携帯電話機の音声とデータの転送と蓄積方法。
【請求項３】
前記記載の携帯無線電話の転送と蓄積を行なうサービス・サイトは、利用者に対して、電話転送蓄積に応じて課金を行なう手段と、決済の重要度に応じて課金を行う手段、さらに基本料金を加えた請求金額合計を演算する手段、携帯電話機、情報端末機を紛失した場合には、前記サービス・サイトから消滅信号を発信して機能を破壊する手段を備えたことを特徴とする携帯電話機の音声とデータの転送と蓄積方法。
【発明の詳細な説明】
【０００１】
【発明の属する技術分野】
本発明は、携帯電話機の転送と蓄積のサービスに係り、特にビジネスマン等が日常に使っている携帯電話機を忘れても、業務に支障のないようにすることを目的にする。携帯電話機を忘れた場合には、身分証明証等のカードから携帯電話機の音声、データの転送と蓄積サービスを行なうサービス・サイトと交信できる通信機能と本人であることを認識する機能を搭載する。
【０００２】
この機能によって、忘れた携帯電話機に着信する電話を所定の、近くにある電話機に転送できる。　近くに適当な電話機が無いとか、多忙で手が離せないときには、サービス・センターで電話、データを保管して後でサービス・サイトにアクセスしてメッセージを聞き取ることが可能である。
【０００３】
【従来の技術】
例えば、本人が加入している携帯電話会社の留守電機能によってサービスをうけられるが、肝心の携帯電話機をどこかに忘れて来てしまっているから、その着信に迅速に対応できない。従って、ビジネスチャンスを見逃してしまうことが多々あった。
【０００４】
【発明が解決しようとする課題】
このため、携帯電話の利用者は早期に対応できないための不利益と携帯電話会社に支払う留守電の課金に対して不満があった。特に地方へ長期間出張する人にとって、携帯電話機を忘れた場合にはビジネスを阻害する程大問題であった。
【０００５】
【課題を解決するための手段】
上記目的を達成するため、請求項第１の発明は、通信情報網上に電話の転送と蓄積を行なうサービス・サイトを設けて、利用者の指定する所定の電話機に転送する機能と、蓄積しておいて後で聴き取ったり、データを見たりするサービス手段を提供する。
【０００６】
また、請求項第２の発明は、携帯電話機を忘れたり紛失の防止のために、自己の帰属する組織、官庁、企業、団体等の身分証明証のカードにサービス・サイトと交信する通信機能を搭載する。忘れた電話機に着信があればカード上にあるアラーム、表示によって人は知ることができる。さらに、携帯電話機を忘れて外出してしまったときに電話機を所持していないことに早期に気づくことができ、近くであれば取りに帰ることも可能である。
【０００７】
請求項第３の発明は、本サービス・サイトを運営するビジネスモデルを提案するものである。本カードには、バイオメトリクス技術を利用した本人認証機能を備えている。携帯電話機を使用して重要な決済を行なうときには、指紋、虹彩、声紋、ＤＮＡ等とパスワードによって認証をおこなう。
【０００８】
これらの機能を電話の利用者にサービス提供して課金をおこなう。現在は、携帯電話会社の留守録サービスに料金を払っているが、迅速性がなく料金は高い。本発明では、転送蓄積サービスの基本料金に決済の重要度に応じた課金をおこなう。利用者は、高度な機密を保って合理的な料金でサービスをうけられる。
【０００９】
【発明の実施形態】
以下、本発明の実施形態につき図１から図６に基づいて説明する。図１は、システムの全体構成図である。本システムは、通信情報網、インターネット、特に近年普及の著しい携帯無線網、モバイルインターネット等の通信ネットワーク１０１上にサービス・サイトを設けて、携帯電話機のユーザのためのサービスを行なうことを目的にする。
【００１０】
本発明では、携帯無線電話機は今や誰でも所持する生活必需品になっている。しかし、往々にして我々は機器の小型化ゆえに忘れやすいものである。　忘れると、場合によってはその日の仕事ができなくなるか、あるいは周囲の人、顧客に多大な迷惑をかけたりビジネスチャンスを失ってしまったり、多大な損害を被ることになる。そこで本発明は、携帯電話機を忘れても仕事に支障の無いようにサーポートするシステムを提供する。
【００１１】
携帯電話機を放置したり忘れた場合、その電話機にかけると数回の鳴動の後、普通は留守番電話に切り替わって、携帯無線会社のサービス・サイトからメッセージが流れて、要件の録音ができる。携帯電話機の所有者は、後で用件を聞いて相手に電話をして用を達していた。しかし急を要する案件には、当然対応できないからビジネス上、不利益を被ることがしばしばあった。
【００１２】
本発明では、前述した不都合な点を改めユーザの要求に答えるため、新規サービスを携帯電話機利用者に提供して利便性の向上を図るものである。本発明の特徴とするところは、身分証明書の類のカードに携帯電話機のネットワーク上に設けたサービス・サイトと交信する機能を持たせたことによる。この機能は、カードに埋め込んだ形で印刷してある。
【００１３】
このカードは、後述する図１に示す１１６のカードにマイクロチップとアンテナを印刷してある。マイクロチップは、数百ミクロンの大きさで、演算装置（ＣＰＵ）、メモリー数百ＭＢ（メガバイト）、それに無線電話のサービス・サイトからの無線信号の受信機能とサービス・サイトへの送信機能を保持する。
【００１４】
携帯電話機をうっかり家に忘れてきたり、紛失してしまったりしたときには、この身分証明書、免許証等に搭載されてあるカードから携帯電話機のサービス・サイトへの通信機能を使って、近くの固定電話機に自分にかかってきた電話を転送したり、メッセージをサービス・サイトから近くの電話機に転送してもらい、内容を確認できる。従って、ビジネスを円滑に進めることができる。
【００１５】
このために少なくとも通信情報ネットワーク図１の１０１上に、携帯電話機の転送機能とメッセージ、データを格納するサービス・サイトを設ける必要がある。現在の携帯無線会社のサービス機能では、携帯電話機の持ち主が不在であったり、電源が入ってないときには、携帯無線会社が有料で留守録音しておき、あとで本人が内容を聞き取るサービスをしている。さらに、あらかじめ携帯電話機の契約者が不在の場合、転送先を登録するサービスもおこなっている。
【００１６】
しかし、これらのサービスは即応性がない。留守録音サービスは時間が経過してからやっと、情報を把握できるのと、転送サービスは転送先を予め登録しておく必要があって、面倒だし迅速性に欠けるから、みすみすビジネスチャンスを逃がしてしまうことにもなりかねない。
【００１７】
図１は、本発明によるシステムの全体構成図を示す。１０１は、通信情報網で１０２はネットワーク１０１に接続する通信回線、１０３は携帯無線網、無線インターネット網の基地局を示す。１０４は通信情報網１０１に接続する携帯無線の専用線で、１０５は携帯無線会社のネットワーク上に設けたウエブサービス・サイトである。
【００１８】
１０６は本発明による携帯無線電話機の転送と、メッセージの伝達を行なうネットワーク上に設けたサービス・サイトである。このサービス・サイトは、携帯無線電話機の所有者と有料で契約して、サービス・サイトの運営会社からカードを付与して前述したようにカードから所定の電話機に転送したり、メッセージを近くの通信装置並びに電話機から聞くことができる。
【００１９】
１１９は、海外との通信サービス・サイトであって、国際通信回線１２０に接続している。１２１は、海外にある電話機であって、図では固定電話機になっているが海外にある携帯電話機、情報端末機器も含まれるのは、当然である。転送とメッセージの伝達は、国内だけでなく、世界中を網羅することができるのが特徴である。
【００２０】
１０７は、企業、工場で１１１は多機能電話機、１１２はパソコン、サーバであって企業、工場の業務に使用している。１２２は携帯電話機で原則個人が所持するものであって、企業、工場に図１では人と伴に持ち込まれた様子を示している。
【００２１】
１１０は家庭でこの家に居住する人の携帯電話機１１３がおかれている。１１７は携帯無線の無線電波を示す。一点鎖線で囲んだ図の１２５はビジネスマン１１５が企業の社員証１１６を所持している様子を示してある。１１５のビジネスマンが携帯電話機１１３を忘れてしまっても、１１６のカードで対応できる。
【００２２】
１０８は、企業、官庁等のオフィスで１１１は固定電話機、１１２はパソコンである。１２３は携帯電話機を示す。１０９は、商店、店舗、スーパで同様に事務ようの電話機１１１、サーバ、パソコン１１２それに人が持ち込んだ携帯電話機１２４がある。１０２の通信回線に接続されている１１４は、固定電話機であって、企業、商店の電話機、及び公衆電話機を含む。
【００２３】
１１５のビジネスマンが自分の携帯電話機１１３を忘れたり紛失してしまったとき、１１０の自宅にかかってきた電話、データは所定回数の鳴動の後１０６の携帯電話転送サービス・サイトに一旦返却されるが、１１６のカードからの指示によって、たとえば１１５の人が１０７の企業、工場を訪問していたときに１２２の他人の携帯電話機に、あるいは１１１の固定電話機に転送して即、話ができる。
【００２４】
１１５の人が１０８、１０９にいても同様に近くの電話機、携帯電話機に転送着信させて会話ができる。近くに電話機が無い場合には、１０６の電話転送、蓄積サービス・サイトにてメッセージを預かってもらい、電話機のある場所に１１５の人が行ったとき、１０６にアクセスすれば内容を聞くことができる。携帯電話機を所持していなくても、身分証明証のカードがあれば着信があったかどうかを、カードからのアラーム、表示によってわかる。
【００２５】
１１５のビジネスマン、クライアントは着信を知って、近にある電話機の電話番号を通知すれば、そこに転送されて会話ができる。近くに電話機が無い場合には、カードからメッセージの記憶をサービス・サイト１０６に指示して後で聞けばよい。又、多忙で手元に電話があっても出られない場合には、サービス・サイトへ電話情報の記憶を指示して後でゆっくり対応することも可能である。１１８は、カードから又は、カードへの送受信電波を示す。
【００２６】
図２は、１０６の携帯電話機の携帯電話サービス・サイトの詳細を示した図である。１０１の通信情報ネットワーク上のウエブサービス・サイト１０６に専用線２０１にて２０２の携帯電話サービス・サイトに接続されている。２０４は、外部からの不正侵入、ウイルスから防御するためのファイヤウオール２０４がある。この２０４は、ＷＷＷ（Ｗｏｒｌｄ　Ｗｉｄｅ　Ｗｅｂ）サーバも兼ねている。
【００２７】
このサーバ２０２は、携帯電話の音声とインターネットのデータ、メールの管理もおこなう。２０３はサービス・サイト内の通信回線である。２０５、２０６はクライアントの音声、データの転送、蓄積を行なうサーバであって、２０７，２０８は音声、データの蓄積、保管用データベースである。
【００２８】
図３は、通信情報ネットワーク１０１上にある携帯無線会社のウエブサービス・サイト１０５と携帯電話の音声、データの転送、蓄積サービスをおこなうサービス・サイト１０６との交信を示した模式図である。１１５のクライアントは、携帯電話機を家か他の場所３０３に忘れてしまった場合、カード１１６のアラームによって、着信のあったことを知ることができる。
【００２９】
１１５のクライアントは、１１６のカードのキースイッチより近くの電話機１１４に転送するように、電話機１１４の電話番号を指示する。当初、無線基地局より３０３にある携帯電話機１１３を呼び出したが応答はない。１１５のクライアントからカード１１６によって近くの公衆電話機１１４のどれかに、転送するように指示してあるから、１０５の携帯無線会社のサイトは一旦サービス・サイト１０６に信号３０１を送る。１０６から転送先の応答３０２が１０５に帰ってくる。
【００３０】
そして再度、基地局１０３は１１５の指定した電話機に転送する。１１５のクライアントは、近くに適当な電話機が無い場合にはメッセージの記憶を指示してあるから、１０６のサービス・サイトにてデータ、メッセージを保管する。１１５のクライアントは、電話のあるところからサービス・サイト１０６にアクセスすれば、メッセージ、データを受け取ることができる。電話、データの転送先、蓄積の指示は、１１５のクライアントから近くの電話機より、サービス・サイト１０６に予め指定しておいてもよい。　この指定先は、複数箇所あってもよい。
【００３１】
図４は、カード１１６の内部構成を示すブロック図である。４０１は、システムバス。４０２は携帯無線電話のアンテナ、４０３は送受信部である。４０４は、本システムを制御する中央演算装置（ＣＰＵ）で４０５はメモリを示す。４０６は、プログラムメモリを記憶するＲＯＭである。
【００３２】
４０７は電源である。通常はスリープ（休眠）状態であって、電源は僅かしか消耗しない。４１１のスイッチを押すとか、４０９の電磁波、誘導波をうけて本システムは動き出す。４０８は電磁波、誘導波のアンテナで４０２の無線アンテナと同様にカードに埋め込まれている。
４１０はカードの外部とのインターフェス部である。４１１はキースイッチ群と本人認証を兼ねたスイッチになっている。
【００３３】
本カードは、企業の社員証、身分証明証、免許証、定期券等の身分を証明するようなカードと兼用できる。　認証機能をもっているから、本人にかかってくる電話を転送したり、サービス・サイトにデータ、音声を保管したりする高度な機密性をもっている。従って、第三者による悪用、改ざん、成済ましを極力排除しなければならない。
【００３４】
本人認証付カードに関しては、先に出願した「本人認証付カードシステム」（平成１４年８月２３日、受付番号１０２０１６１００５５）に詳細に記述してある。要旨は、カードのキータッチの際に、サービス・サイトに登録してある本人識別用のバイオメトリクスと照合して本人認証をおこなう。指、手の甲の指紋、ＤＮＡパターンを使う。一般には、複雑な暗証番号を利用する例が多いが、概して複雑な番号ほど忘れやすい。
【００３５】
４１２はカードの報知装置で、着信があったときに音声、ランプ、振動によって本人に知らせる。４１３は本人の情報を格納してあるメモリであって、本人認証用の指紋、眼の虹彩、ＤＮＡ等が記憶されている。　４１１のキーをタッチしてサービス・サイトに送信する前に、カードにある４１３の認証情報と比較照合して違っていればこのカードの使用は、拒否される。複数回以上、同じような行為がされれば、カードは自ら破壊されて使用不可能になる。
【００３６】
カードの機能を簡略化するために、受信機能だけにしてサービス・サイトから呼び出しのシグナルを受け取ったとき、近くの電話からサービス・サイトにアクセスして音声とデータの転送を受けてもよい。携帯電話機を紛失した場合は、カードからサービス・サイトに紛失信号をだして携帯電話機の使用を不可能にすることもできる。
【００３７】
図５は、携帯電話機を忘れた例で、サービス・サイトとカードとの応答を示したフロー図である。Ｓ５０１は、携帯電話機を家か他の場所に忘れたことに気が付いたことを示すステップである。Ｓ５０２は、身分証明証カードの所持を確かめてＳ５０３で持っていれば、クライアントは安心してビジネスができる。
【００３８】
Ｓ５０４では、電話の着信を待受ける。Ｓ５０５では、サービス・サイトから本人に着信のあることをカードに報知する。Ｓ５０６では、カードから近にある電話番号を入力して転送してもらう。Ｓ５０７では、電話、データを転送してもらうかどうか決める。多忙で手が離せないとか、近くに電話の無い場合はサービス・サイトに預かってもらう。
【００３９】
Ｓ５０８では、着信電話を転送してもらってから近くの電話機で会話をする。Ｓ５０９では、カードも忘れてしまった例である。サービス・サイトに連絡してその旨の伝達をおこなう。サービス・サイトは、無人でサーバのみで運営されている場合が多い。それ故、サービス・サイトのガイダンスに従って電話、情報機器のキースイッチを押して対応する。
【００４０】
Ｓ５１０では、カードを忘れていたがメッセージがきていた。このメッセージの着信があって、サービス・サイト１０６に蓄積してあるから、内容を聞くためには本人認証が必要である。しかし、カードは手元には無い。従って、簡単な暗証番号と氏名を言って、その声紋をサービス・サイトの機能によって認証するのも一方法である。Ｓ５１１では本人認証が確かめられて、メッセージを聞くことができる。
【００４１】
身分証明証を兼ねたり、定期券と併用すれば携帯電話機は忘れたとしても、身分を証明するカードを忘れることは少ない。従って、現代人に必要な情報の交換をスムーズにおこなえて、ビジネスに支障をきたすことはない。
【００４２】
図６は、サービス・サイトに記憶されているデータ、メッセージを本人に伝達する過程を示すフロー図である。Ｓ６０１は、携帯電話機に呼び出し信号が着信して、Ｓ６０２では応答を待っている。Ｓ６０３は所定の時間、回数呼び出しを行なっても相手の電話機から応答はない。Ｓ６０４では、応答がないから図１の１０６のサービス・サイトに転送する。
【００４３】
Ｓ６０５では、着信したメッセージをひとまず記憶する。Ｓ６０６では、サービス・サイト１０６から図１０５の携帯電話会社のサイトを介して、本人に連絡する。あるいは、本人からの連絡を待つ。Ｓ６０７は、本人からの応答を待っているステップである。
【００４４】
Ｓ６０８では、本人からの連絡がサービス・サイト１０６にあった。本当に本人であるかどうか本人認証の確認をおこなう。前述したように、バイオメトリクス技術を使って、指紋、声紋、音声、ＤＮＡ等による認証をおこなう。Ｓ６０９は、本人認証が確認できれば、Ｓ６１０でメッセージを伝える。
【００４５】
Ｓ６１１は、本人による応答があったから会話を行なうことができる。ここでは、本人が携帯電話機を所持していたことになる。なお、本システムを用いて通常の会話でなく、重要な決済をおこなう際には本人認証の厳重なチェックをおこなうことができる。
【００４６】
この際は、図示してない携帯電話機に認証装置、たとえば図１の１１６のカードを電話機に差し込んだり、前述したバイオメトリクス技術を使って本人認証をおこなう。重要度の低い決済で本人の確認程度であれば、１０６に登録してあるサービス・サイトにパスワードを所持している携帯電話機から発信して、認証すればよい。
【００４７】
サービス・サイト１０６は、加入者に便宜と利便性を供与するために諸費用を利用者に請求する。利用者は基本料金を納めて、かつ決済の重要度に応じた課金、電話やデータの転送の回数に応じた課金、それにメッセージの保管費用を課金して利用者に請求する。このようなシステムにすれば、ＩＴ応用の新規ビジネスモデルが誕生して、停滞している経済の活性化を促す効果がある。
【発明の効果】
【００４８】
本発明は、以上のように構成され機能するので、これによるとビジネスマンの必携品である携帯電話機、携帯端末機器を忘れてしまっても身分証明書の類に搭載した、他の電話機への転送機能を使って有効に活用できるから、ビジネス活動を阻害しない。
【００４９】
同カードには、本人認証機能をもっているから重要な決済を行なうこともできる。サービス・サイトは、携帯電話機、携帯情報機器の音声、データの転送と蓄積、本人認証のサービスを利用者に提供して、使用料を課金できるからＩＴの新規ビジネスを促し経済効果も多大である。
【図面の簡単な説明】
【図１】実施形態の全体構成を示すシステム構成図である。
【図２】サービス・サイトの構成を示すブロック図である。
【図３】携帯電話会社のサイトと携帯電話サービス・サイトの関係を示す図である。
【図４】音声及びデータの転送、本人認証機能サービスカードの内部ブロック構成を示す図である。
【図５】カードを使用した転送蓄積サービスのプロセスを示すフロー図である。
【図６】携帯電話機、携帯情報端末機から着信のプロセスを示すフロー図である。
【符号の説明】
１０１　　　　　　　　　　　　　　通信情報網
１０２　　　　　　　　　　　　　　通信回線
１０３　　　　　　　　　　　　　　携帯無線基地局
１０４　　　　　　　　　　　　　　携帯無線局専用線
１０５　　　　　　　　　　　　　　携帯無線会社ウエブサービス・サイト
１０６　　　　　　　　　　　　　　音声データの転送蓄積サービス・サイト
１０７　　　　　　　　　　　　　　企業、工場
１０８　　　　　　　　　　　　　　企業、官庁
１０９　　　　　　　　　　　　　　商店、店舗、スーパマーケット
１１０　　　　　　　　　　　　　　家庭、ホームオフィス
１１１　　　　　　　　　　　　　　固定電話機、ＦＡＸ付多機能電話機
１１２、２０５、２０６　　　　　　サーバ、パソコン
１１３、１２２、１２３、１２４　　携帯電話機、携帯情報端末機
１１４　　　　　　　　　　　　　　公衆電話機
１１５　　　　　　　　　　　　　　人、ビジネスマン、クライアント
１１６　　　　　　　　　　　　　　電話転送蓄積機能付身分証明カード
１１７、１１８　　　　　　　　　　無線電波
１１９　　　　　　　　　　　　　　国際通信電話会社ウエブサービス・サイト
１２０　　　　　　　　　　　　　　国際通信網
１２１　　　　　　　　　　　　　　海外の電話機、通信情報端末機器
１２５　　　　　　　　　　　　　　人の所持しているカード
２０１　　　　　　　　　　　　　　サービス・サイトと接続する専用線
２０２　　　　　　　　　　　　　　携帯無線サービス・サイト
２０４　　　　　　　　　　　　　　サービス・サイトのＷＷＷサーバ
２０３　　　　　　　　　　　　　　サービス・サイト内ＬＡＮ
２０７，２０８　　　　　　　　　　データ・ベース
３０１、３０２　　　　　　　携帯無線会社サイトとサービス・サイトとの交信
３０３　　　　　　　　　　　　　　家庭、ホームオフィス
４０１　　　　　　　　　　　　　　カードのシステムバス
４０２　　　　　　　　　　　　　　無線アンテナ
４０３　　　　　　　　　　　　　　無線送受信部
４０４　　　　　　　　　　　　　　中央演算処理部（ＣＰＵ）
４０５　　　　　　　　　　　　　　メモリ
４０６　　　　　　　　　　　　　　プログラムメモリ（ＲＯＭ）
４０７　　　　　　　　　　　　　　電池、電源
４０８　　　　　　　　　　　　　　電磁波受信部
４０９　　　　　　　　　　　　　　電磁波
４１０　　　　　　　　　　　　　　カードの入出力部（Ｉ／Ｏ）
４１１　　　　　　　　　　　　　　キースイッチ、本人認証入力部
４１２　　　　　　　　　　　　　　表示部
４１３　　　　　　　　　　　　　　個人情報格納メモリ
【図１】
2004120718.tif 000003
【図２】
2004120718.tif 000004
【図３】
2004120718.tif 000005
【図４】
2004120718.tif 000006
【図５】
2004120718.tif 000007
【図６】
2004120718.tif 000008